(57)【要約】【課題】水封部からの泡によるオーバーフロー防止弁の誤作動を防止する排液バッグを提供する。【解決手段】排液を貯留するための排液槽１２と、排液槽１２の上部に形成され排液を流入させる流入口１４と、排液槽１２の上部に対して下部で連結された水封槽１６と、水封槽１６の上部に形成され負圧源に連通する吸引口１８と、吸引口１８に設けられるオーバーフロー防止弁２０とを含んで構成される排液バッグ１０において、オーバーフロー防止弁２０は、下向きに開口した弁座４０と弁座４０の下方に開口部分を有することのない盤状の弁受け４２を底として備えた有底円筒状のハウジング３８と、弁座４０と弁受け４２の間に移動可能にハウジング３８内に介在させたボール弁４４とを備え、ハウジング３８の管胴には、水封槽１６と連通する開口４６を設ける。【選択図】図２
2008284140.tif 000002
【特許請求の範囲】
【請求項１】
排液を貯留するための排液槽と、
前記排液槽の上部に形成され排液を流入させる流入口と、
前記排液槽の上部に対して下部で連結された水封槽と、
前記水封槽の上部に形成され負圧源に連通する吸引口と、
前記吸引口に設けられるオーバーフロー防止弁とを含んで構成される排液バッグにおいて、
前記オーバーフロー防止弁は、下向きに開口した弁座とこの弁座の下方に開口部分を有することのない盤状の弁受けを底として備えた有底円筒状のハウジングと、前記弁座と前記弁受けの間に移動可能に前記ハウジング内に介在させたボール弁とを備え、
前記ハウジングの管胴には、前記水封槽と連通する開口が設けられること
を特徴とする排液バッグ。
【請求項２】
前記開口は、前記ハウジングの管胴において、前記弁受けから少なくとも前記ボール弁の半径長さだけ上方に離れた位置に設けられ、
前記ボール弁は、前記開口から流入した前記水封槽内の液体に浮かされて前記弁座に吸着するように構成されること
を特徴とする請求項１に記載の排液バッグ。
【発明の詳細な説明】
【技術分野】
【０００１】
本発明は、医療用の排液バッグに関し、特に低圧吸引排出装置に用いられる排液バッグに関する。
【背景技術】
【０００２】
従来、患者の体腔内において滲出し続ける血液等の体液を体腔内から除去する場合など、この体液を採集するために用いられる排液バッグが知られている（例えば特許文献１参照）。このような排液バッグには体液流入用の流入孔が設けられており、この孔は患者の体腔に挿入されたカテーテルに接続するようになっている。そして、患者側で発生した体液はカテーテルを通って流入孔に入り排液バッグ内に導かれるようになっている。
【０００３】
この排液バッグには吸引用のガス出口孔が設けられており、この孔は外部の負圧源に連通するようになっている。そして、排液バッグと体液通路内とを減圧することにより、体腔内の体液を吸引して、積極的に体液を排液バッグ内に溜めるようになっている。排液バッグには、患者側の方が吸引圧よりも強い陰圧になったときに、気体が患者体内に逆流するのを防ぐための水封部が設けられており、排液バッグのガス出口孔には、排液バッグ内の排液等が負圧源に入り込まないようにオーバーフロー防止弁が通常設けられる。
【０００４】
図５は、排液バッグに用いる従来のオーバーフロー防止弁１の一例を示した断面図である。図５に示すように、従来のオーバーフロー防止弁１は、側面２と底面３にそれぞれ孔４、５が開けられている筒体６の中にボール弁７が入れられた構造となっており、水封部の液面が上がって筒体６の底面３や側面２の孔４、５から液体が筒体６内に入ってくると、ボール弁７が液体に浮いて上部にある弁座８を閉塞することで、水封部の液体が弁座８より上の負圧源に入り込まないようにされている。
【特許文献１】特開２００２−３６９８７９号公報
【発明の開示】
【発明が解決しようとする課題】
【０００５】
ところで、上記した従来の排液バッグにおいては、排液が排液バッグに直接流れ込むような構造となっているため、この排液に粘性のある泡状の吸引物が混入されていて、術後排液等の吸引中に、この泡状の吸引物がバッグ内に吸引されると、排液槽の容量が一杯になる前に、この泡状の吸引物が排液槽に滴下せずに排液槽の上部を伝わって水封部に流れ込むことがあった。
【０００６】
そして、水封部に連行された泡が水封部の陰圧側の液槽に混入すると、液面が泡状となることによって水封部の見かけ上の液位が上昇することがあった。この場合、上昇した泡が吸引口に設けられたオーバーフロー防止弁１において、筒体６の特に底面３に開けられた孔５からボール弁７の下面９に接触してこれを押し上げることがあった。
このように従来は、オーバーフロー防止弁１がこの上昇した泡を液位として誤検知し、ボール弁７が上昇して弁座８を閉塞することで、吸引口からの吸引を停止させることがあった。
【０００７】
本発明は、上述した事情に鑑みてなされたものであり、水封部からの泡の上昇によるオーバーフロー防止弁の誤作動を防止する排液バッグを提供することを目的とするものである。
【課題を解決するための手段】
【０００８】
本発明に係る排液バッグでは、上記課題を解決するために以下の手段を採用した。
本発明は、排液を貯留するための排液槽と、前記排液槽の上部に形成され排液を流入させる流入口と、前記排液槽の上部に対して下部で連結された水封槽と、前記水封槽の上部に形成され負圧源に連通する吸引口と、前記吸引口に設けられるオーバーフロー防止弁とを含んで構成される排液バッグにおいて、前記オーバーフロー防止弁は、下向きに開口した弁座とこの弁座の下方に開口部分を有することのない盤状の弁受けを底として備えた有底円筒状のハウジングと、前記弁座と前記弁受けの間に移動可能に前記ハウジング内に介在させたボール弁とを備え、前記ハウジングの管胴には、前記水封槽と連通する開口が設けられることを特徴とする。
【０００９】
本発明によれば、オーバーフロー防止弁は、下向きに開口した弁座とこの弁座の下方に開口部分を有することのない盤状の弁受けを底として備えた有底円筒状のハウジングと、前記弁座と前記弁受けの間に移動可能に前記ハウジング内に介在させたボール弁とを備える。そして、このハウジングには管胴に水封槽と連通する開口が設けられる一方で、弁受けには開口部が設けられることがない。
このため、水封部に入り込んだ泡や、水封部において発生した泡が水封槽を上昇する場合には、この泡は盤状の弁受けに遮られるので、ボール弁の下面に接触することはなく、ボール弁を上方へ押し上げない。また、水封槽内を上昇してきた泡や気体は、開口からハウジング内に入り込んで、ボール弁の上面に沿ってハウジング内を上方に通過する。
【００１０】
一方、水封部に溜まっている液体の液面が水封槽を上昇する場合には、水封部の液体は、ハウジングの管胴の開口からハウジング内に入り込んで、盤状の弁受けの上に溜まってゆく。そして、液体の液面が弁受け上に置かれたボール弁の下面に接触して液位が上昇することにより、ボール弁を上方へ浮かせる。
【００１１】
このように、本発明によれば、水封部の見かけ上の液位が泡によって上昇しても、吸引口に設けられたオーバーフロー防止弁のボール弁の下面には泡が接触することはないので、ボール弁を上方へ押し上げることがない。
【００１２】
このため、本発明によれば、ボール弁が弁座を閉塞することがないので、吸引口からの吸引を停止させるおそれがない。
【００１３】
本発明に係る他の排液バッグは、上記において、前記開口は、前記ハウジングの管胴において、前記弁受けから少なくとも前記ボール弁の半径長さだけ上方に離れた位置に設けられ、前記ボール弁は、前記開口から流入した前記水封槽内の液体に浮かされて前記弁座に吸着するように構成されることを特徴とする。
【００１４】
本発明によれば、水封部から上昇した泡は、弁受けから少なくともボール弁の半径長さだけ上方に離れてハウジングの管胴に設けられた開口からハウジング内に入り込んだあと、ボール弁の上面に沿って上方に通り抜けるので、泡がボール弁の下面に接触することはより少なくなるとともに、ボール弁を上方へ押し上げない。
一方、水封部に溜まっている液体の液位が上昇した場合には、この液体はハウジングの管胴に設けられた開口からハウジング内に入り込んで、盤状の弁受けの上に溜まってゆき、弁受けに置かれたボール弁の下面に接触することでボール弁を上方へ押し上げる。
【発明の効果】
【００１５】
本発明によれば、水封部からの泡の上昇によるオーバーフロー防止弁の誤作動を防止することができる。
【発明を実施するための最良の形態】
【００１６】
以下に図面を用いて、本発明に係る排液バッグの実施の形態につき詳細に説明する。
図１は、本実施形態に係る排液バッグの一例を示す正面図であり、図２は、排液バッグ１０の縦断面図であり、図３は、本実施形態に係る排液バッグに用いるオーバーフロー防止弁の一例を示した縦断面図である。
【００１７】
排液バッグ１０は、患者の肺臓などの手術後、創部からの排液を吸引して貯留するために用いられる。この排液バッグ１０は、図１、２に示すように、患者の体腔内で発生した排液を貯留するための排液槽１２と、排液槽１２の上部に形成され、外部から排液を流入させる流入口１４と、排液槽１２の上部に対して下部で連結された水封槽１６と、水封槽１６の上部に形成され、外部の負圧源（不図示）に連通する吸引口１８とを含んで一体的に構成されている。そして、吸引口１８内には有底円筒状のオーバーフロー防止弁２０が設けられる。
【００１８】
この排液バッグ１０は、図１に示すように、排液槽１２に溜まった排液の液位や、水封槽１６内の水封水の液位が外部から観測できるように透明な材質で形成されており、特に、負圧がかかっても変形して排液バッグ１０内の容積が変化しないように透明な硬質プラスチック製が用いられる。このようなプラスチックとして、例えば、ポリカーボネート、ポリスルホン、アクリル樹脂、ポリスチレン、スチレン・ブタジエン樹脂を用いることができる。また、排液バッグ１０の壁面には、各槽に溜まった液量を示すための目盛りが付されている。
【００１９】
排液槽１２は、図２に示すように、流入口１４直下に設けられる第一排液槽２４と、上下方向に延びた仕切り壁２６により区画されて第一排液槽２４に隣接して設けられる第二排液槽２８とから構成されている。
仕切り壁２６の上側は開口しており、第一排液槽２４と第二排液槽２８の上部は連通状態となっている。また、第二排液槽２８の上部の第一排液槽２４と隣接しない側には、横方向に向かって延びる連通孔３０が設けられる。
連通孔３０は、第二排液槽２８に隣接して設けられて上下方向に延びた連結管３２の上部と連通している。連結管３２は、その下端で水封槽１６の下部に連結している。
【００２０】
オーバーフロー防止弁２０は、図２、３に示すように、吸引口１８と連通する開口面３６を上方に有してなる有底円筒状のハウジング３８と、ハウジング３８上部の内周に設けられた弁座４０と、ハウジング３８下部の底面を構成する弁受け４２と、弁座４０と弁受け４２の間を移動可能なように弁受け４２の上に置かれたボール弁４４とを備えている。ハウジング３８の下側側面の管胴部分には、水封槽１６と吸引口１８とを連通状態とするための開口部４６が形成されている。
【００２１】
弁座４０は、ハウジング３８上部の内周面から内径方向に突出する環状に形成され、その上面は水平な平坦面とされる一方、下面は下方に向かうに従い径が拡がるテーパ面状とされている。この弁座４０には液体に浮かされたボール弁４４が吸着するようになっている。
弁受け４２は、有底円筒のハウジング３８の下方底面として円盤状に構成され、開口部分を有しておらず、この弁受け４２を介しては水封槽１６とハウジング３８内部との間で気液の流通が封止されるように形成されている。
【００２２】
ボール弁４４は、軽量の球弁であって、水封部３４の液体に浮くことができるように液体の比重よりも小さい比重で構成され、ハウジング３８内に液体がない場合には、弁受け４２上に置かれた状態であるが、液面の上昇に伴い液体に浮かされて上方の弁座４０に向かって移動するようになっている。
【００２３】
開口部４６は、ハウジング３８の円筒の周方向に等間隔に離間するようにして複数箇所に設けられており、各開口部４６は、ハウジング３８の管胴の周面と弁受け４２との境界部４８を下端とし、弁受け４２からボール弁４４の直径長さよりも若干長い距離だけ上方に離れた位置５０を上端とするように形成されている。そして、この開口部４６によって、水封槽１６と吸引口１８とは連通状態となっている。
【００２４】
このように、開口部４６がボール弁４４の直径長さよりも若干長い距離だけ弁受け４２から上方に離れた位置５０を開口上端とするように形成されるので、液面が弁受け４２の位置まで達しない状態の場合には、ボール弁４４は弁受け４２上に置かれた状態となって、開口部４６の上側領域にはボール弁４４の上方に抜ける隙間５２が生じる。そして、この隙間５２により水封槽１６とハウジング３８内との間に気道が確保されるので、水封槽１６と吸引口１８とは連通状態となる。
このため、水封部３４から上昇する泡や気体は、この隙間５２から入り込んでボール弁４４の上面５４に沿って上方に通り抜けるため、泡がボール弁４４を誤って押し上げることはないようになっている。
【００２５】
上記構成の動作を説明する。
まず、水封部３４から泡が上昇した場合の動作について説明する。水封部３４から水封槽１６内を上昇した泡は、ハウジング３８の下部側面に設けられた開口部４６の隙間５２からハウジング３８内に侵入する。ここで、ボール弁４４は弁受け４２の上に置かれた状態となっているので、開口部４６の隙間５２からハウジング３８内に入り込んだ泡は、ボール弁４４の横側表面に接触し、ボール弁４４の上側表面５４を沿いながら上方に移動してゆく。
【００２６】
このように、水封部３４を上昇した泡は、ハウジング３８の底として構成される円盤状の弁受け４２によってハウジング３８内への侵入を遮られるのでボール弁４４の下側表面５６に接触することがない。そして、この泡は、開口部４６の隙間５２からハウジング３８内に入り込んだあと、ボール弁４４の上側表面５４を沿うようにして通り抜けるので、ボール弁４４を上方に押し上げることはない。このため、ボール弁４４が泡により押し上げられてボール弁４４が弁座４０を閉塞することはないので、オーバーフロー防止弁２０が泡による見かけ上の液位により誤作動することはなく、誤って吸引を停止することはない。
【００２７】
次に、水封部３４からの液面が上昇してボール弁４４を押し上げる場合の動作について説明する。水封槽１６の液面が上昇すると、水封部３４の液体は、オーバーフロー防止弁２０のハウジング３８下部側面に設けられた開口部４６からハウジング３８内に入り込んで弁受け４２とボール弁４４の下側表面５６との間に挟まれた領域に入り込む。これによって、水封部３４の液面はボール弁４４の下側表面５６に接触するようになるから、ボール弁４４はこの液体に浮かされて上昇し、やがて弁座４０を閉塞するようになって、吸引口１８からの吸引を停止させる。このようにして、オーバーフロー防止弁２０は、水封槽１６の液位の上昇によって弁座４０を閉じることができて、吸引を停止するように正常に作動することができる。
【００２８】
以上のように、本実施形態に係る排液バッグ１０は、水封部３４を上昇した泡は、ハウジング３８の下部の弁受け４２によってオーバーフロー防止弁２０内への侵入を遮られるので、泡がボール弁４４を下側から押し上げることがない。したがって、ボール弁４４が誤って弁座４０を閉塞することがない。
また、水封部３４を上昇した泡は、ハウジング３８下部側面の開口部４６の上側領域に形成されるボール弁４４との間の隙間５２から入り込んでボール弁４４の上側表面５４に沿って上方に通り抜ける。このように、水封部３４を上昇した泡は、ボール弁４４の上側表面５４に沿って上方に通り抜けるので、ボール弁４４を上方へ押し上げることがない。
したがって、ボール弁４４が誤って弁座４０を閉塞することがない。このため、水封部３４を上昇した泡によって、オーバーフロー防止弁２０が誤作動することがなく、吸引口１８からの吸引を誤って停止することがない。
【００２９】
また、本実施形態に係る排液バッグ１０は、水封部３４に溜まっている液体の液面が上昇した場合において、開口部４６からハウジング３８内に入り込んだ液体は弁受け４２とボール弁４４の下側表面５６との間に溜まって、この液体によりボール弁４４は浮き上がるので、弁座４０を正常に閉塞することができるので、オーバーフロー防止弁２０を正常に作動することができる。
【００３０】
上記の実施形態において、開口部４６の開口下端を、ハウジング３８の管胴の周面と弁受け４２との境界部４８とする代わりに、図４に示すように、弁受け４２から少なくともボール弁４４の半径長さよりも若干上方の位置４９に位置するように形成するようにしてもよい。
この場合、開口部４６からハウジング３８内に入り込んだ泡は、開口部４６の開口下端から下側のハウジング３８の管胴によってボール弁４４の下側表面５６への侵入を阻まれて、ボール弁４４の上側表面５４に沿って上方に通り抜けるので、ボール弁４４を上方へ押し上げることがない。一方、水封部３４の液位が上昇すると、液体は開口部４６の開口下端位置４９を越流してハウジング３８内に流入し弁受け４２上に溜まっていくことでボール弁４４を上方に押し上げるようにすることができる。
このように、開口部４６の開口下端が、弁受け４２から少なくともボール弁４４の半径長さよりも若干上方の位置４９に形成される場合には、ボール弁４４の下側表面５６への泡の侵入をより確実に阻むので、上記効果をより確実に奏することができる。
【００３１】
このように、本発明に係る排液バッグは、水封部からの泡の上昇によるオーバーフロー防止弁の誤作動を防止することができる。
【００３２】
なお、上述した実施の形態において示した各構成部材の諸形状や組み合わせあるいは動作手順等は一例であって、本発明の主旨から逸脱しない範囲において設計要求等に基づき種々変更可能である。
【図面の簡単な説明】
【００３３】
【図１】本発明の一実施形態に係る排液バッグの一例を示す正面図である。
【図２】本発明の一実施形態に係る排液バッグの縦断面図である。
【図３】本発明の一実施形態に係る排液バッグに用いるオーバーフロー防止弁の一例を示した縦断面図である。
【図４】本発明の他の実施形態に係る排液バッグに用いるオーバーフロー防止弁の一例を示した縦断面図である。
【図５】排液バッグに用いる従来のオーバーフロー防止弁の一例を示した縦断面図である。
【符号の説明】
【００３４】
１０…排液バッグ
１２…排液槽
１４…流入口
１６…水封槽
１８…吸引口
２０…オーバーフロー防止弁
３８…ハウジング
４０…弁座
４２…弁受け
４４…ボール弁
４６…開口部（開口）
【図１】
2008284140.tif 000003
【図２】
2008284140.tif 000004
【図３】
2008284140.tif 000005
【図４】
2008284140.tif 000006
【図５】
2008284140.tif 000007